(57)【要約】  【課題】  ファンホイールの羽根が気流を引導して下方へ吹き送る時、ステータを支持するための支持リブは風送入ゾーンを邪魔しないように形成されるため、風切効果により生じた巨大騒音を有効に改善することができる。  【解決手段】  ステータ３０とファンホイール４０により構成される放熱ファンであって、ファンホイール４０の外周壁には気流を引導するための羽根４０１が複数個設けられ、ファンホイール４０の中心位置の軸座４２には回転軸４１が埋設し固定され、回転軸４１の他端において磁性部材４３が設けられ、さらに上記放熱ファンは放熱器１０の上に配置され、そして磁性の牽引の作用により上記放熱器の内部の撹拌器１４が回転するのを同期に連動するように構成されている。【選択図】    図１
2007239728.tif 000002
【特許請求の範囲】
【請求項１】
框体（３５）、ステータ（３０）およびファンホイール（４０）により構成される放熱ファンの構造であって、框体（３５）の内部に複数個の支持リブ（３４）により連接するように軸管座（３１）が固定され、軸管座（３１）の中央に軸管（３２）が形成され、軸管（３２）の内部に軸受（３３）が置き入れられ、ステータ（３０）は軸管座（３１）の上に装着され、ファンホイール（４０）の外周壁には複数個の羽根（４０１）が設けられ、ファンホイール（４０）の中心に軸座（４２）が形成され、軸座（４２）には回転軸（４１）が設けられ、回転軸（４１）が軸受（３３）を貫通する他端において磁性部材（４３）が設けられ、磁性部材（４３）は上記放熱ファンの誘導に従って同期に回転するように形成されることを特徴とする放熱ファンの構造。
【請求項２】
上記放熱ファンは放熱器（１０）の上に配置され、磁性部材（４３）を上記放熱ファンの誘導に従って同期して回転させることにより、放熱器（１０）の内部の撹拌器（１４）を牽引して回動するように形成されることを特徴とする請求項１記載の放熱ファンの構造。
【請求項３】
回転軸（４１）に磁性部材（４３）を固設する上記他端において第一環状溝（４１１）と第二環状溝（４１２）が設けられ、第一環状溝（４１１）と第二環状溝（４１２）はそれぞれ第一係止リング（４１３）と第二係止リング（４１４）が嵌入するのに用いられ、第二環状溝（４１２）の比較的に外端に近い場所には削り平面（４１５）が設けられ、回転軸（４１）の上記場所を非正円形の形態に形成させ、そして磁性部材（４３）の中央には回転軸（４１）が貫通するための軸孔（４３１）が設けられ、軸孔（４３１）には削り平面（４１５）に対応するための係止平面（４３２）が設けられることを特徴とする請求項１記載の放熱ファンの構造。
【請求項４】
磁性部材（４３）と第二係止リング（４１４）との間にはばね（４１６）が設けられることを特徴とする請求項３記載の放熱ファンの構造。
【請求項５】
磁性部材（４４）がばね（４１６）に対応する場所には埋め込み溝（４４３）が設けられ、ばね（４１６）は埋め込み溝（４４３）の中に置き入れられることを特徴とする請求項４記載の放熱ファンの構造。
【請求項６】
回転軸（４１）に磁性部材（４５）を固設する上記他端において第一環状溝（４１１）と第二環状溝（４１２）が設けられ、第一環状溝（４１１）と第二環状溝（４１２）はそれぞれ第一係止リング（４１３）と第二係止リング（４１４）を嵌入するのに用いられ、第二環状溝（４１２）の比較的に外端に近い場所には削り平面（４１５）が設けられ、回転軸（４１）の上記場所を非正円形の形態に形成させ、そして磁性部材（４５）は磁石座（４５１）の下方に固定され、磁石座（４５１）の中央に固定座（４５２）が形成され、固定座（４５２）の中央には回転軸（４１）が貫通するための軸孔（４５３）が設けられ、軸孔（４５３）には削り平面（４１５）に対応するための係止平面（４５４）が設けられることを特徴とする請求項１記載の放熱ファンの構造。
【請求項７】
磁性部材（４５）と第二係止リング（４１４）との間にはばね（４１６）が設けられることを特徴とする請求項６記載の放熱ファンの構造。
【発明の詳細な説明】
【技術分野】
【０００１】
本発明は、放熱ファンの構造に関するもので、特に風切効果により生じた巨大騒音を有効に改善できる実用的な構造に係るものである。
【背景技術】
【０００２】
図８を参照すると、従来の放熱ファンの構造において、放熱器１０および放熱ファン２０が含まれ、放熱器１０は発熱体に直接接触するように貼接されるため、熱を吸収することができ、放熱ファン２０は放熱器１０の上方に配置されるため、熱を散らすのに補助することができる。放熱器１０は中央熱伝導器１１においてその周辺から複数個の放熱フィン１２が延伸するように形成され、そして中央熱伝導器１１の内部には収容室１３が形成され、収容室１３の中には撹拌器１４が設けられる。放熱ファン２０は反転するように放熱器１０の上方に設置され、放熱ファン２０の框体２１の内部は複数個の支持リブ２２により軸管座２３を固定し、軸管座２３の上にはステータ２４とローター２５が配置され、そしてローター２５と撹拌器１４との対応する位置にはそれぞれ相互に牽引するための磁性部材２６、１５が設けられることにより、ローター２５と撹拌器１４は磁性の牽引により同期に回転することができるようにとしたものがある（例えば、特許文献１を参照）。
【特許文献１】中華民国出願番号第９４１３８０９９号
【発明の開示】
【発明が解決しようとする課題】
【０００３】
上記のような従来の放熱ファンの構造においては、逆さに設置された放熱ファン２０には風切音が生じるため、巨大騒音が存在するという問題点を有している。放熱ファン２０は逆さで放熱器１０の上方に固定されることにより、軸管座２３を固定するための支持リブ２２は放熱ファン２０の風送入ゾーンを跨って邪魔してしまうため、ローター２５が回転して空気を引導して下方へ吹き送る時、上記風送入ゾーンを跨っている支持リブ２２には風を阻む面積が形成され、下方へ吹き送る気流に対して邪魔をしてしまうため、乱流が生じてしまい、乱流によって風切効果が生じ、さらに巨大騒音が生じてしまうという問題点があった。このように、上記のような従来の放熱ファンの構造をさらに改良しなければならない。
【０００４】
本発明はこのような問題点に鑑みて発明したものであって、その目的とするところは、放熱ファンの構造を放熱器の上方に設置し、放熱ファンの羽根が気流を引導して下方へ吹き送る時、ステータを支持するための支持リブは風送入ゾーンを邪魔することなく、風切効果により生じた巨大騒音を有効に改善することができる放熱ファンの構造を提供しようとするものである。
【０００５】
本発明の第一の目的は、放熱ファンの構造を放熱器の上方に設置し、放熱ファンの羽根が気流を引導して下方へ吹き送る時、ステータを支持するための支持リブは風送入ゾーンを邪魔することなく、風切効果により生じた巨大騒音を有効に改善することができる放熱ファンの構造を提供しようとするものである。
【課題を解決するための手段】
【０００６】
上記目的を達成するために、本発明による放熱ファンの構造は、下記のようになるものである。すなわち、
框体、ステータおよびファンホイールにより構成される。框体の内部に複数個の支持リブにより連接するように軸管座が固定され、軸管座の中央に軸管が形成され、軸管の内部に軸受が置き入れられる。ステータは軸管座の上に装着される。ファンホイールの外周壁には複数個の羽根が設けられ、ファンホイールの中心に軸座が形成され、軸座には回転軸が設けられ、回転軸が軸受を貫通する他端において磁性部材が設けられ、磁性部材は上記放熱ファンの誘導に従って同期して回転するように形成される。
【０００７】
本発明による放熱ファンの構造は、上記放熱ファンは放熱器の上に配置され、磁性部材を上記放熱ファンの誘導に従って同期に回転させることにより、放熱器の内部の撹拌器を牽引して回動するように形成されることもできる。また、回転軸に磁性部材を固設する上記他端において第一環状溝と第二環状溝が設けられ、第一環状溝と第二環状溝はそれぞれ第一係止リングと第二係止リングが嵌入するのに用いられ、第二環状溝の比較的に外端に近い場所には削り平面が設けられ、回転軸の上記場所を非正円形の形態に形成させ、そして磁性部材の中央には回転軸が貫通するための軸孔が設けられ、軸孔には削り平面に対応するための係止平面が設けられることもできる。また、磁性部材と第二係止リングとの間にはばねが設けられることもできる。また、磁性部材がばねに対応する場所には埋め込み溝が設けられ、ばねは埋め込み溝の中に置き入れられることもできる。また、回転軸に磁性部材を固設する上記他端において第一環状溝と第二環状溝が設けられ、第一環状溝と第二環状溝はそれぞれ第一係止リングと第二係止リングが嵌入するのに用いられ、第二環状溝の比較的に外端に近い場所には削り平面が設けられ、回転軸の上記場所を非正円形の形態に形成させ、そして磁性部材は磁石座の下方に固定され、磁石座の中央には固定座が形成され、固定座の中央には回転軸が貫通するための軸孔が設けられ、軸孔には削り平面に対応するための係止平面が設けられることもできる。また、磁性部材と第二係止リングとの間にはばねが設けられることもできる。
【発明の効果】
【０００８】
本発明の放熱ファンの構造によれば、放熱ファンの構造を放熱器の上方に設置し、放熱ファンの羽根が気流を引導して下方へ吹き送る時、ステータを支持するための支持リブは風送入ゾーンを邪魔することなく、風切効果により生じた巨大騒音を有効に改善することができるという利点がある。
【発明を実施するための最良の形態】
【０００９】
本発明は放熱ファンの構造に関するもので、磁性の牽引の作用により放熱器の内部の撹拌器が回転するのを同期に連動することができるものであり、本発明の実施の形態について、以下、図面を参照して説明する。
【実施例１】
【００１０】
図１、２を参照すると、本発明の実施例１の放熱ファンの構造において、框体３５の内部にはステータ３０とファンホイール４０が配置される。また、中空形態の框体３５の内部には軸管座３１が形成され、軸管座３１は複数個の支持リブ３４により框体３５の内周壁と連接して固定するように形成され、軸管座３１の中心位置には軸管３２が装着され、そして軸管３２の内部には軸受３３が置き入れられる。
【００１１】
ステータ３０は軸管３２の外周壁に装着して固定される。ファンホイール４０の外周壁には気流を引導するための羽根４０１が複数個延伸するように形成され、ファンホイール４０の中心位置には軸座４２が形成され、軸座４２の中には回転軸４１が埋設して固定され、回転軸４１は軸受３３の中央を貫通して回転するように形成され、そして回転軸４１が軸受３３を貫通する他端において磁性部材４３が固設される。ファンホイール４０は対応するようにステータ３０の外部に覆設され、さらに励磁の作用によりフェーファンホイール４０が回転するのを駆動することができる。
【００１２】
磁性部材４３と回転軸４１との固定方式は下記の何種かの実施形態を有する。本発明の実施例１の放熱ファンの構造においては、回転軸４１には第一環状溝４１１と第二環状溝４１２が設けられ、第一環状溝４１１と第二環状溝４１２との間には適当な間隔が保留され、さらに第一係止リング４１３が第一環状溝４１１に嵌入された後は、ちょうど軸受３３の下方に係止し位置決めされるため、回転軸４１が軸受３３から脱出するのを防止することができる。比較的に外端に位置する第二環状溝４１２の場所には他に削り平面４１５が設けられ、回転軸４１の上記場所を非正円形の形態に形成させ、そして磁性部材４３の中央には回転軸４１が貫通するための軸孔４３１が設けられ、軸孔４３１にも削り平面４１５に対応するための係止平面４３２が設けられるため、ばね４１６と第二係止リング４１４が第二環状溝４１２に嵌入された後、磁性部材４３と回転軸４１は同期に回動するように形成される。
【００１３】
図３を参照すると、本発明の実施例１の放熱ファンの構造は放熱器１０の上方に設置され、そして磁性の牽引の作用によって放熱器１０の内部の撹拌器１４が回転するのを同期に連動することにより、ファンホイール４０が回転すると、羽根４０１により気流を引導して下方へ吹き送る時、軸管座３１を連接して固定するための支持リブ３４は風送入ゾーンを邪魔することがないため、風切効果により生じた巨大騒音を有効に改善することができる。
【実施例２】
【００１４】
その他に、磁性部材と回転軸との固定方式は下記の二種の実施形態を有する。図４、５を参照すると、実施例１と同様に回転軸４１の第二環状溝４１２の場所において削り平面４１５を設け、回転軸４１の上記場所を非正円形の形態に形成させ、そして磁性部材４４の中央にも同様に削り平面４１５に対応するための係止平面４４２が設けられ、磁性部材４４の底部には他に凹んだ埋め込み溝４４３が設けられ、ばね４１６はちょうど埋め込み溝４４３に置き入れることができ、そして第二係止リング４１４が第二環状溝４１２に嵌入された後、磁性部材４４と回転軸４１は同期に回動するように形成される。
【実施例３】
【００１５】
また、図６、７を参照すると、磁性部材４５は磁石座４５１によって回転軸４１と固定して結合することができる。その中に、磁性部材４５は磁石座４５１の下方に固定され、そして磁石座４５１の中央には固定座４５２が形成され、固定座４５２の中央には回転軸４１が貫通するための軸孔４５３が設けられ、軸孔４５３の中にも回転軸４１の削り平面４１５に対応するための係止平面４５４が形成されることにより、ばね４１６と第二係止リング４１４が第二環状溝４１２に嵌入された後、磁石座４５１および磁性部材４５は回転軸４１と同期に回動するように形成される。
【産業上の利用可能性】
【００１６】
上述の如く、本発明の放熱ファンの構造によれば、支持リブが風送入ゾーンを邪魔するのを避けることができることにより、風切によって生じた巨大騒音を有効に改善することができる。
【００１７】
本発明は、その精神及び必須の特徴事項から逸脱することなく他のやり方で実施することができる。従って、本明細書に記載した好ましい実施例は例示的なものであり、限定的なものではない。
【図面の簡単な説明】
【００１８】
【図１】本発明の実施例１の放熱ファンの構造による分解断面斜視図である。
【図２】本発明の実施例１の放熱ファンの構造による組み立てられた状態の断面図である。
【図３】本発明の実施例１の放熱ファンの構造による使用状態の断面図である。
【図４】本発明の実施例２の放熱ファンの構造による分解断面斜視図である。
【図５】本発明の実施例２の放熱ファンの構造による組み立てられた状態の断面図である。
【図６】本発明の実施例３の放熱ファンの構造による分解断面斜視図である。
【図７】本発明の実施例３の放熱ファンの構造による組み立てられた状態の断面図である。
【図８】従来の放熱ファンの構造による組み立てられた状態の断面図である。
【符号の説明】
【００１９】
１０    放熱器                        １１    中央熱伝導器
１２    放熱フィン                    １３    収容室
１４    撹拌器                        １５    磁性部材
２０    放熱ファン                    ２１    框体
２２    支持リブ                      ２３    軸管座
２４    ステータ                      ２５    ローター
２６    磁性部材                      ３０    ステータ
３１    軸管座                        ３２    軸管
３３    軸受                          ３４    支持リブ
３５    框体                          ４０    ファンホイール
４０１    羽根                          ４２    回転軸
４１１    第一環状溝                  ４１２    第二環状溝
４１３    第一係止リング              ４１４    第二係止リング
４１５    削り平面                    ４１６    ばね
４２    軸座                          ４３    磁性部材
４３１    軸孔                        ４３２    係止平面
４４    磁性部材                    ４４１    軸孔
４４２    係止平面                    ４４３    埋め込み溝
４５    磁性部材                    ４５１    磁石座
４５２    固定座                      ４５３    軸孔
４５４    係止平面
【図１】
2007239728.tif 000003
【図２】
2007239728.tif 000004
【図３】
2007239728.tif 000005
【図４】
2007239728.tif 000006
【図５】
2007239728.tif 000007
【図６】
2007239728.tif 000008
【図７】
2007239728.tif 000009
【図８】
2007239728.tif 000010